(57)【要約】【課題】  ボイラーや冷暖房危機配管内のスケールを発生させる要因としての水の中に含まれている溶存酸素を完全にゼロにする具体的な方法やそれを実証するためのデータは確立されておらず、化学洗浄等に依存しているのが現状である。【解決手段】  スケールを発生させる要因としての水の中に含まれている溶存酸素を完全にゼロにする具体的な方法やそれを実証するためのデータを確立し、ボイラー及び冷暖房機器の水配管内のスケール生成を防止する事が出来る。【選択図】図１
2018155474.tif 000002
【特許請求の範囲】
【請求項１】
ボイラーで蒸気化する供給水において、所要量の密閉タンク内に入っている水に、人体無害ガスを１．１ｈｐａの圧力で入れ、密閉タンクの空気抜き弁を開くことにより、当該水の溶存酸素を外部に放出し、その後、密閉タンクの水放出弁を開くことにより、水タンクに当該水を送り、その水タンク内の溶存酸素計によって、完全に当該水の溶存酸素がゼロになるまで当該水を再度密閉タンクに戻し、前記の通り人体無害ガスを１．１ｈｐａの圧力で入れて溶存酸素を放出するというサイクルを当該水が溶存酸素完全ゼロになるまで繰り返し、ボイラーの水配管内のスケール生成防止を特徴とするボイラー供給水溶存酸素完全ゼロにするシステム及びその方法。
【請求項２】
冷暖房機器の配管に供給する水において、所要量の密閉タンク内に入っている水に、人体無害ガスを１．１ｈｐａの圧力で入れ、密閉タンクの空気抜き弁を開くことにより、当該水の溶存酸素を外部に放出し、その後、密閉タンクの水放出弁を開くことにより、水タンクに当該水を送り、その水タンク内の溶存酸素計によって、完全に当該水の溶存酸素がゼロになるまで当該水を再度密閉タンクに戻し、前記の通り人体無害ガスを１．１ｈｐａの圧力で入れて溶存酸素を放出するというサイクルを当該水が溶存酸素完全ゼロになるまで繰り返し、冷暖房機器の水配管内のスケール生成防止を特徴とする冷暖房機器供給水溶存酸素完全ゼロにするシステム及びその方法。
【発明の詳細な説明】
【技術分野】
【０００１】  本発明は、ボイラー及び冷暖房機器に供給する水の溶存酸素完全ゼロにする事に関する。
【背景技術】
【０００２】  ボイラーに水を供給し、蒸気化する配管において、配管自体の腐食や給水と共に浸入する不純物が付着、増殖（以下、スケールと称する）し、ボイラーの熱伝達の障害になるばかりでなく、蒸発管の過熱による材質の劣化、膨出、墳破などの事故の原因となる。【０００３】  そこで、現状では、ボイラー配管内を有機酸などの化学薬品を循環させて配管内を洗浄しているが、洗浄後の化学薬品を廃棄しなければならない。その化学薬品は、環境破壊が起きないように無害化処理するため、設備や労力、コスト、エネルギーの負担がかかっている。【０００４】  以上の様に、ボイラーだけでなく、冷暖房機器の配管もスケールの影響による障害が生じている。【０００５】  スケールの発生要因は、水の中に含まれている溶存酸素である。その溶存酸素を減らす技術は多々あるが、完全にゼロにしなければ、スケールが発生する。そこで、溶存酸素ゼロにする特許が下記文献に開示されている。特許文献１では、溶存酸素濃度を実質的にゼロにする脱酸素装置と記載しているが、具体的な方法やそのプロセスに至るデータが記載されていない。【０００６】  特許文献２についても、溶存酸素濃度をゼロに減少と記載しているが、具体的な方法やそのプロセスに至るデータが記載されていない。
【先行技術文献】
【０００７】
【特許文献１】特開２００９−１５８４２６
【特許文献２】特表２００５−５２８１１１
【発明の開示】
【発明が解決しようとする課題】
【０００８】  このように、スケールを発生させる要因としての水の中に含まれている溶存酸素を完全にゼロにする具体的な方法やそれを実証するためのデータは確立されておらず、ボイラー及び冷暖房機器の水配管内の化学洗浄等に依存しているのが現状である。
【課題を解決するための手段】
【０００９】  上記課題を解決すべく請求項１記細の発明は、ボイラーで蒸気化する供給水において、所要量の密閉タンク内に入っている水に、人体無害ガスを１．１ｈｐａの圧力で入れ、密閉タンクの空気抜き弁を開くことにより、当該水の溶存酸素を外部に放出し、その後、密閉タンクの水供給弁を開くことにより、水タンクに当該水を送り、その水タンク内の溶存酸素計によって、完全に当該水の溶存酸素がゼロになるまで当該水を再度密閉タンクに戻し、前記の通り人体無害ガスを１．１ｈｐａの圧力で入れて溶存酸素を放出するというサイクルを当該水が溶存酸素完全ゼロになるまで繰り返し、ボイラーの水配管内のスケール生成防止を特徴とするボイラー供給水溶存酸素完全ゼロにする事である。【００１０】  請求項２記細の発明は、冷暖房機器の配管に供給する水において、所要量の密閉タンク内に入っている水に、人体無害ガスを１．１ｈｐａの圧力で入れ、密閉タンクの空気抜き弁を開くことにより、当該水の溶存酸素を外部に放出し、その後、密閉タンクの水供給弁を開くことにより、水タンクに当該水を送り、その水タンク内の溶存酸素計によって、完全に当該水の溶存酸素がゼロになるまで当該水を再度密閉タンクに戻し、前記の通り人体無害ガスを１．１ｈｐａの圧力で入れて溶存酸素を放出するというサイクルを当該水が溶存酸素完全ゼロになるまで繰り返し、冷暖房機器の水配管内のスケール生成防止を特徴とする冷暖房機器供給水溶存酸素完全ゼロにする事である。
【発明の効果】
【００１１】  本発明によれば、スケールを発生させる要因としての水の中に含まれている溶存酸素を完全にゼロにする具体的な方法やそれを実証するためのデータを確立し、ボイラー及び冷暖房機器の水配管内のスケール生成を防止する事が出来る。
【図面の簡単な説明】
【００１２】
【図１】本発明の実施例における全体ブロック図である。
【図２】本発明の実施例における本体装置のブロック図である。
【図３】本発明の溶存酸素完全ゼロ実証試験のグラフである。
【発明を実施するための最良の形態】
【００１３】  以下、本発明を実施例により説明する。図１に示すように、本発明である本体装置１は、矢印１ａに示す復水器からの給水と、ボイラー２のボイラー配管２ａの間へ設置する。矢印１ａから給水された水を本体装置１内で溶存酸素完全ゼロ水に変換し、ボイラー２へ供給する。溶存酸素完全ゼロ水はボイラー配管２ａ内で燃焼され、最終的に矢印２ｂに示すように溶存酸素完全ゼロ水としての蒸気が排出される。【００１４】  次に、本体装置１内での溶存酸素完全ゼロ水を生成する行程について説明する。
矢印１ａから給水された水は、水タンク３に入り、水３ａが所要量に達するとポンプ３ｃが稼動し、密閉タンク４に投入される。水３ａが投入している間は、空気抜き弁４ａが開いている。その後、ガス弁５ａが開き、窒素ボンベ５から窒素ガスが１．１ｈｐａの圧力で密閉タンク４に送り込まれる。尚、ここでは、１例として窒素ガスと明記したが、人体に無害であるガスであれば何でも良い。又、窒素ガスを１．１ｈｐａの圧力を一定にコントロールする為、ガス弁５ａに内蔵している絞り弁で調整している。【００１５】  一定時間窒素ガスを送り込んだ後、空気抜き弁４ａを開いて溶存酸素を外部へ放出し、密閉タンク４内の水を溶存酸素ゼロ水４ｂに変化させる。その後、供給弁４ｃを開いて水タンク３内へ投入する。そこで、溶存酸素計６によって、わずかでも溶存酸素が残っていれば、ポンプ３ｃが稼動し、再度密閉タンク４に送り、窒素ガスを充填する。このサイクルは、水タンク３内の水が完全に溶存酸素ゼロ水になるまで続ける。水タンク３内の水が完全に溶存酸素ゼロ水になると、放出弁３ｂが開き、矢印７に示すようにボイラー２へ溶存酸素完全ゼロ水を供給する。【００１６】  以上説明した本体装置１の部分を試作し、水の溶存酸素濃度を溶存酸素計で、時系列に測定した実証試験データを図３に示す。図に示す通り、水に含まれる溶存酸素量は、６０分後、完全にゼロとなった事を示している。
【産業上の利用可能性】
【００１７】  溶存酸素完全ゼロ水の氷を作ることにより、鮮度の高い魚介類を市場へ提供する事が出来る。
【符号の説明】
【００１８】  １    本体装置
１ａ  矢印
２    ボイラー
２ａ  ボイラー配管
２ｂ  蒸気
３    水タンク
３ａ  水
３ｂ  放出弁
３ｃ  ポンプ
４    密閉タンク
４ａ  空気抜き弁
４ｂ  溶存酸素ゼロ水
４ｃ  供給弁
５    窒素ボンベ
５ａ  ガス弁
６    溶存酸素計
７    矢印
【図１】
2018155474.tif 000003
【図２】
2018155474.tif 000004
【図３】
2018155474.tif 000005